(57)【要約】      （修正有）【課題】複数の機器から送信された情報を同時に確認することを容易に行う。【解決手段】受信部と記憶部と表示部とを有する携帯端末装置１００を提供する。受信部１０１は複数の機器１０４から複数の項目の値を含む情報を受信し、記憶部１０２は受信された情報を複数の機器それぞれと関連付けて記憶し、表示部１０３は、複数の機器のうち選択された機器と関連付けて記憶部に記憶されている第１の情報を、複数の項目の値を第１の方向に並べて、ディスプレイの第１の領域にて表示し、選択された機器以外と関連付けて記憶部に記憶されている情報の複数の項目の値を、第１の方向に並べ、ディスプレイの第２の領域にて第１の方向と異なる方向にスクロール可能に、表示し、かつ、選択された機器以外と関連付けて記憶部に記憶され第１の情報の特定項目の値と特定の関係にある第２の情報の特定項目の値を、他の値と異なった態様で、表示する。【選択図】図１
2014137673.tif 000002
【特許請求の範囲】
【請求項１】
複数の機器それぞれから複数の項目の値を含む情報を受信する受信部と、
前記受信部により前記複数の機器それぞれから受信された情報を前記複数の機器それぞれと関連付けて記憶する記憶部と、
前記複数の機器のうち選択された機器と関連付けて前記記憶部に記憶されている第１の情報を、前記複数の項目の値を第１の方向に並べて、ディスプレイの第１の領域にて表示し、前記選択された機器以外と関連付けて前記記憶部に記憶されている情報の前記複数の項目の値を、前記第１の情報の前記複数の項目と対応するように、前記第１の方向に並べ、前記ディスプレイの第２の領域にて前記第１の方向と垂直な方向にスクロール可能に、表示し、かつ、前記選択された機器以外と関連付けて前記記憶部に記憶され前記第１の情報の特定項目の値と特定の関係にある第２の情報の前記特定項目の値を、他の値と異なった態様で、表示する表示部と
を有する携帯端末装置。
【請求項２】
前記表示部は、前記第２の情報の前記特定項目の値を他の値と異なった色により表示をする請求項１に記載の携帯端末装置。
【請求項３】
前記特定の関係は、前記第１の情報の特定項目の値と前記第２の情報の前記特定項目の値とが異なることである請求項１または２に記載の携帯端末装置。
【請求項４】
前記特定の関係は、複数の関係で構成され、それぞれの関係に対応した態様で前記第２の領域に表示される項目の値が表示される請求項１から３のいずれかに記載の携帯端末装置。
【請求項５】
前記複数の機器のうちから選択を行う選択部を有し、
前記選択部は複数の機器を選択可能であり、
前記表示部は、選択された複数の機器と関連付けて前記記憶部に記憶されている情報を前記第１の領域に前記第１の方向と垂直な方向に隣接させて表示する請求項１から４のいずれかに記載の携帯端末装置。
【請求項６】
前記表示部は、前記第２の情報の前記特定項目の値がスクロールにより表示されるとスクロールを停止する請求項１から５のいずれかに記載の携帯端末装置。
【請求項７】
前記受信部が前記複数の機器それぞれから受信する情報は、前記複数の機器それぞれの設定情報を含み、
前記第１の領域に表示された設定情報を用いて、前記選択された機器以外の機器を設定する設定部
を有する請求項１から６のいずれかに記載の携帯端末装置。
【請求項８】
前記設定部は、設定する機器及び設定する項目のいずれか又は両方が選択可能である請求項７に記載の携帯端末装置
【請求項９】
前記第１の領域および前記第２の領域に値を表示する項目を選択する項目選択部を有する請求項１から８のいずれかに記載の携帯端末装置。
【請求項１０】
前記第２の領域に値を表示する機器の順序を変更する順序変更部を有する請求項１から９のいずれかに記載の携帯端末装置。
【請求項１１】
メモリと複数の機器それぞれから複数の項目の値を含む情報を受信する受信部とを有する携帯端末装置に、
前記受信部により前記複数の機器それぞれから受信された情報を前記複数の機器それぞれと関連付けて前記メモリに記憶させ、
前記複数の機器のうち選択された機器と関連付けて前記メモリに記憶されている第１の情報を、前記複数の項目の値を第１の方向に並べて、表示部の第１の領域にて表示し、前記選択された機器以外と関連付けて前記メモリに記憶されている情報を前記第１の情報の複数の項目と対応させて前記第１の方向に並べて前記表示部の第２の領域にて前記第１の方向と垂直な方向にスクロール可能に表示し、かつ、前記第１の情報の特定項目の値と特定の関係にある前記選択された機器以外と関連付けて前記メモリに記憶されている第２の情報の前記特定項目の値を他の値と異なった態様で表示させるためのプログラム。
【発明の詳細な説明】
【技術分野】
【０００１】
本発明は、携帯端末装置などに関する。特に、複数の機器から情報を受信し表示などを行うための携帯端末装置などに関する。
【背景技術】
【０００２】
携帯電話、スマートフォンやタブレット端末などの携帯端末装置が普及し、携帯端末装置の利用者は自由に様々な情報を閲覧できるようになってきた。携帯端末装置は携帯に適した大きさとなっているので、ディスプレイのサイズに制約がある。このため、様々な情報を閲覧するには、スクロールバーを操作したり、タッチパネルとなっているディスプレイをフリックしたりして、ディスプレイ表示をスクロールさせる場合が多い。
【０００３】
また、複数のフィールドに入力されたデータの一覧表示を利用者に分かり易くするための技術も知られている（例えば、特許文献１参照。）。
【先行技術文献】
【特許文献】
【０００４】
【特許文献１】特開２００４−４６５９８号公報
【発明の概要】
【発明が解決しようとする課題】
【０００５】
多数の機器から送信された情報を携帯端末装置のディスプレイに表示する場合には、ディスプレイのサイズに制約により、複数の機器から送信された情報を同時に確認することが困難である。そこで、以下において、複数の機器から送信された情報を同時に確認することを容易に行うための技術について、開示を行う。
【課題を解決するための手段】
【０００６】
本発明の一実施形態として、受信部と、記憶部と、表示部とを有する携帯端末装置を提供する。受信部は、複数の機器それぞれから複数の項目の値を含む情報を受信する。記憶部は、受信部により複数の機器それぞれから受信された情報を複数の機器それぞれと関連付けて記憶する。表示部は、複数の機器のうち選択された機器と関連付けて記憶部に記憶されている第１の情報を、複数の項目の値を第１の方向に並べて、ディスプレイの第１の領域にて表示し、選択された機器以外と関連付けて記憶部に記憶されている情報の前記複数の項目の値を、第１の情報の複数の項目と対応するように、第１の方向に並べ、ディスプレイの第２の領域にて第１の方向と異なる方向にスクロール可能に、表示し、かつ、選択された機器以外と関連付けて記憶部に記憶され第１の情報の特定項目の値と特定の関係にある第２の情報の特定項目の値を、他の値と異なった態様で、表示する。
【０００７】
また、本発明の一実施形態として、メモリと複数の機器それぞれから複数の項目の値を含む情報を受信する受信部とを有する携帯端末装置に、前記受信部により前記複数の機器それぞれから受信された情報を前記複数の機器それぞれと関連付けてメモリに記憶させ、前記複数の機器のうち選択された機器と関連付けてメモリに記憶されている第１の情報を、前記複数の項目の値を第１の方向に並べて、表示部の第１の領域にて表示し、選択された機器以外と関連付けてメモリに記憶されている情報を前記第１の情報の複数の項目と対応させて前記第１の方向に並べて前記表示部の第２の領域にて前記第１の方向と垂直な方向にスクロール可能に表示し、かつ、第１の情報の特定項目の値と特定の関係にある選択された機器以外と関連付けて前記メモリに記憶されている第２の情報の特定項目の値を他の値と異なった態様で表示させるためのプログラムを提供する。
【発明の効果】
【０００８】
本発明により、基準となる機器を選択し、他の機器の情報のうち、基準となる機器の情報と特定の関係のある情報を他と異なる態様により表示がされるので、情報の確認を容易に行うことができる。
【図面の簡単な説明】
【０００９】
【図１】本発明の一実施形態に係る携帯端末装置の機能ブロック図
【図２】本発明の一実施形態に係る携帯端末装置による表示の一例図
【図３】本発明の一実施形態に係る携帯端末装置による表示の一例図
【図４】本発明の一実施形態に係る携帯端末装置の処理のフローチャート
【図５】本発明の一実施形態に係る携帯端末装置の処理のフローチャート
【図６】本発明の一実施形態に係る携帯端末装置の機能ブロック図
【図７】本発明の一実施形態に係る携帯端末装置による表示の一例図
【図８】本発明の一実施形態に係る携帯端末装置の機能ブロック図
【図９】本発明の一実施形態に係る携帯端末装置の機能ブロック図
【図１０】本発明の一実施形態に係る携帯端末装置の機能ブロック図
【発明を実施するための形態】
【００１０】
以下に本発明を実施するための形態を、複数の実施形態として説明する。なお、本発明は、これらの実施形態に限定されることはなく、種々に変形を行って実施することが可能である。
【００１１】
（実施形態１）
図１（ａ）は、本発明の実施形態１に係る携帯端末装置の機能ブロック図を示す。携帯端末装置１００は、受信部１０１と、記憶部１０２と、表示部１０３とを有する。なお、端末装置１００は、図示しない送信部を有していていも構わない。
【００１２】
受信部１０１は、複数の機器１０４−１、１０４−２、１０４−３…それぞれから情報を受信する。複数の機器１０４−１、１０４−２、１０４−３…それぞれから受信される情報は、複数の項目の値を含む。
【００１３】
「複数の機器１０４−１、１０４−２、１０４−３…」の記載において、機器の台数は３に限定されず、任意である。また、機器は、携帯端末装置１００と有線通信又は無線通信により通信が可能である。機器の例としては、取得装置、出力装置などがある。取得装置としては、測定装置を挙げることができる。測定装置としては、周囲の環境に関する情報、例えば、温度、気温、湿度、気圧、照度、を測定したり、他の機器などの状態、例えば、移動速度、落下速度、上昇速度、処理速度、供給される電圧値、電流値、交流の周波数、消費電力、消費電力の積算値などを測定したりする装置を挙げることができる。出力装置としては、周囲の環境に影響を与える装置を挙げることができ、例えば、照明装置、スピーカー装置、エアコンディショナー、加湿器、散水機、を挙げることができる。また、機器の他の例としては、他の装置を制御するための制御装置を挙げることができる。また、機器は、取得装置、出力装置及び制御装置の二つ以上の機能を兼ね備えることもできる。
【００１４】
また、機器としては、例えば複数の取得装置からデータを収集するサーバ装置を挙げることができる。その場合、受信部１０１は仮想的に複数の機器から情報を受信しているとすることができる。サーバ装置が複数台存在する場合には、それぞれのサーバ装置に接続された全ての機器から情報を受信しているとすることができる。
【００１５】
機器から受信される情報としては、機器が取得装置であれば、測定値を含む情報を挙げることができ、機器が出力装置であれば、周囲の環境に影響を与える程度を示す情報を挙げることができ、制御装置であれば、制御の状態を表わす情報を挙げることができる。また、取得装置、出力装置及び制御装置に共通な情報として、その機器の設定情報を挙げることができる。例えば、携帯端末装置との通信のための設定情報を挙げることができ、具体的には、ＭＡＣアドレス、ＩＰアドレス、ホスト名、サブネットマスク、ゲートウェイのＩＰアドレスなどがある。
【００１６】
機器から受信される情報には、上述のように複数の項目の値を含む。例えば「ＭＡＣアドレス」が項目であればその値は、００：０ｆ：ｆｅ：３ｂ：０８：ｃｄとなる。機器と携帯端末装置１００とで共有される複数の項目の間に順序が存在し、その順序に従って項目の値が送信される。あるいは、項目の名前と項目の値とが組となって複数の組が受信されてもよい。項目の名前と項目の値とが組となって情報の受信がされる場合には、複数の機器１０４−１、１０４−２、１０４−３…から受信される情報の項目は、同じである必要はなく、機器毎に異なる項目の値を含む情報を受信することができる。
【００１７】
記憶部１０２は、受信部１０１により複数の機器１０４−１、１０４−２、１０４−３…それぞれから受信された情報を、複数の機器１０４−１、１０４−２、１０４−３…それぞれと関連付けて記憶する。例えば、機器のＭＡＣアドレスを機器の識別子として用い、その機器から受信された情報をＭＡＣアドレスと関連付けてメモリなどの記憶デバイスに記憶することができる。
【００１８】
表示部１０３は、記憶部１０２に記憶されている情報を表示する。表示部１０３により表示される情報は、第１の情報とその他の情報とに分類される。第１の情報とは、複数の機器１０４−１、１０４−２、１０４−３…のうち選択された機器と関連付けて記憶部１０２に記憶されている情報である。その他の情報とは、選択された機器以外の機器と関連付けて記憶部に記憶されている情報である。機器の選択は、携帯端末装置１００に選択された機器の識別子を記憶させることにより行うことができる。この場合、選択された機器は固定されていてもよい。また、図３に示すように、携帯端末装置１００のディスプレイの領域３０１に、機器の識別子としての「機器１」、「機器２」、「機器３」…を含むアイコン３０３−１、３０３−２、３０３−３…を表示し、携帯端末装置１００の利用者にアイコンを選択可能に表示を行い選択をさせてから、領域３０２に表示されている「機器選択」ボタン３０４を押下させることにより、機器の選択を行うこともできる。なお、機器１０４−１、１０４−２、１０４−３…が多数台存在し、全ての１０４−１、１０４−２、１０４−３…のアイコンが領域３０１に表示できない場合には、領域３０１をスクロール可能とし、領域３０１に対するフリック操作や領域３０４に表示されるスクロールバー２０５の操作により、表示されていないアイコンの機器を選択可能とすることができる。
【００１９】
第１の情報を携帯端末装置１００のディスプレイに表示するときには、第１の情報に含まれる複数の項目の値を第１の方向に並べてディスプレイの第１の領域に表示する。
【００２０】
図２は、携帯端末装置１００のディスプレイの表示の一例を示す。例えば、機器Ｊが選択された機器であり、第１の情報が機器Ｊと関連付けて記憶部１０２に記憶されているとする。このとき、第１の情報を第１の領域２０１に、図２では上下方向となっている第１の方向２０３に並べて表示する。すなわち、ｄａｔａ３Ｊ、ｄａｔａ４Ｊ、ｄａｔａ５Ｊ、ｄａｔａ６Ｊのそれぞれは、第１の情報の項目の値である。なお、第１の項目の値は、ｄａｔａ３Ｊ、ｄａｔａ４Ｊ、ｄａｔａ５Ｊ、ｄａｔａ６Ｊの４個に限定されることはない。必要に応じて、スクロールバー表示領域２０７のスクロールバー２０８などを用いて、第１の方向２０３にスクロールして、他の項目の値を表示することができる。
【００２１】
また、その他の情報を携帯端末装置１００のディスプレイに表示するときには、第１の情報の複数の項目と対応するように、第１の方向に並べて第２の領域に表示する。第１の情報の項目の値のうち、表示されている値の項目について、その他の情報の項目の値を、選択された機器以外の機器それぞれについて表示する。また、第２の領域においては、第１の方向と異なる方向にスクロール可能に、表示する。したがって、選択された機器以外の機器それぞれと関連付けて記憶部１０２に記憶されているそれぞれの情報の項目の値を第１の方向に並べて表示する。また、選択された機器以外の機器の情報は、第２の方向に並べて表示する。
【００２２】
図２においては、第２の領域２０２に、選択された機器以外の機器である機器５、機器６、機器７と関連付けて記憶部１０２に記憶されている情報（その他の情報）の項目の値が表示されている。すなわち、機器５と関連付けて記憶部１０２に記憶されている情報であるｄａｔａ３５、ｄａｔａ４５、ｄａｔａ５５、ｄａｔａ６５が第１の方向２０３に並べて表示される。このとき、ｄａｔａ３Ｊとｄａｔａ３５との項目は同じであり、ｄａｔａ３Ｊの第２の方向２０４（図２においては、第１の方向２０３と垂直の方向）に並んでいる。ｄａｔａ４Ｊ及びｄａｔａ４５、ｄａｔａ５Ｊ及びｄａｔａ５５、ｄａｔａ６Ｊ及びｄａｔａ６５についても同様である。
【００２３】
機器６、機器７と関連付けて記憶部１０２に記憶されている情報の項目の値についても、機器５と関連付けて記憶部１０２に記憶されている情報の項目の値と同様に表示がされる。このとき、機器５と関連付けて記憶部１０２に記憶されている情報の項目の値が表示されている領域について第２の方向２０４に隣接して、機器６と関連付けて記憶部１０２に記憶されている情報の項目の値が、表示されている。また、機器６と関連付けて記憶部１０２に記憶されている情報の項目の値が表示されている領域に対して第２の方向２０４に隣接して、機器７と関連付けて記憶部１０２に記憶されている情報の項目の値が表示されている。
【００２４】
また、その他の情報の項目の値は、第２の方向２０４にスクロール可能に表示される。すなわち、図２において、第２の領域の下部に第２の方向２０４に伸びているスクロールバー表示領域２０５内に、第２の方向２０４に移動可能なスクロールバー２０６が表示されている。スクロールバー２０６を第２の方向２０４に移動させることにより、図２に示す第２の領域２０２に表示されている機器５、機器６及び機器７以外の機器の情報を表示させることができる。なお、第２の領域を第２の方向にスクロールさせても、第１の領域はスクロールしないことが好ましい。第１の領域には、選択された機器の情報である第１情報が表示され、第１情報は基準となる情報として取り扱われることが好ましいからである。また、第２の方向のスクロールは、スクロールバー２０６の操作に限定されることはなく、第２の領域をフリックなどすることにより行うことができるようになっていてもよい。
【００２５】
なお、第２の領域２０２にその他の情報の項目の値を表示する際には、第１の情報の特定項目の値と特定の関係にある第２の情報の特定項目の値は、第１の情報の特定項目の値と特定の関係にない第２の情報の特定項目の値とは異なった態様で表示がされる。
【００２６】
例えば、ｄａｔａ５Ｊとｄａｔａ５５とが特定の関係にあり、ｄａｔａ５Ｊとｄａｔａ５６及びｄａｔａ５７とが特定の関係になければ、ｄａｔａ５５の表示の態様は、ｄａｔａ５６及びｄａｔａ５７の表示の態様と異なる。
【００２７】
特定の関係の例としては、大小関係を挙げることができる。例えば、ｄａｔａ５Ｊを基準として値がｄａｔａ５Ｊよりも大きければ特定の関係にあるとすることができる。また、特定の関係としては、値として同じ、値として異なる、なども挙げることができる。また、表示の態様としては、表示の色、表示の大きさ、表示の際に用いられるフォント、表示の背景色などを挙げることができる。例えば、特定の関係にある値を他の値よりも目立つような態様で表示する。
【００２８】
また、特定の関係の例としては、値が異なるという関係を挙げることができる。例えば、ｄａｔａ５Ｊとｄａｔａ５５とが異なれば、ｄａｔａ５Ｊとｄａｔａ５５とが特定の関係にあるとして、表示部１０３はｄａｔａ５５を特定の関係にない値と異なる態様で表示する。また、さらにｄａｔａ５Ｊとｄａｔａ５６とが異なれば、ｄａｔａ５Ｊとｄａｔａ５６とが特定の関係にあるとして、表示部１０３は、ｄａｔａ５６を特定の関係にない値と異なる態様で表示する。なお、このとき、ｄａｔａ５５とｄａｔａ５６とが同じ値であれば、表示部１０３は、ｄａｔａ５５とｄａｔａ５６とを同じ態様で表示するようにしてもよい。このように、特定の関係として値が異なるという関係を用い、同じ値を同じ態様で表示することにより、基準となる値と異なる値が何個存在するかを容易に把握することができる。
【００２９】
また、「値が異なる」および「同じ値」を、通常の意味での比較に基づくものとする必要はない。例えば、数値については、範囲を指定することにより「値が異なる」および「同じ値」を定義してもよい。例えば、基準となる値とプラスマイナス５％以内であれば、同じ値であるとし、そうでなければ値が異なるとしてもよい。
【００３０】
また、特定の関係は、複数の関係により構成されていてもよい。例えば、特定の関係は、基準となる値とプラスマイナス５％以内という第１の関係と、基準となる値とプラスマイナス５％を超えプラスマイナる１０％以内という第２の関係とにより構成されていていてもよい。また、基準となる値と第１の関係にある値の表示態様、基準となる値と第２の関係にある値の表示態様がそれぞれ異なっていてもよい。
【００３１】
表示部１０３が、図２の表示を行う際には、例えば表示を行う際のディスプレイ上の位置２００の座標を決定する。そして、位置２００から、第１の方向２０３に第１の情報の項目の値を表示する領域の位置を順次決定する。例えば、第１の方向２０３がＸ軸方向であれば、Ｘ座標の値を所定の値ずつ加算することを繰り返し、ｄａｔａ３Ｊを表示する領域のＸ座標、ｄａｔａ４Ｊを表示する領域のＸ座標、ｄａｔａ５Ｊを表示する領域のＸ座標、ｄａｔａ６Ｊを表示する領域のＸ座標を決定する。
【００３２】
次に、表示部１０３は、位置２００から、第２の領域２０２の座標を決定する。図２においては、第１の領域２０１の第２の方向２０４に隣接させて第２の領域２０２が位置するので、第２の方向２０４をＹ軸方向とすれば、位置２００のＹ座標に第１の領域２０１の幅を加算して、第２の領域のＹ座標を得る。そして、第２の領域のＹ座標から、第２の方向２０４に項目の値を表示する領域のＹ座標を順次決定する。例えば、機器５と関連付けて記憶部１０２に記憶されている情報を表示する領域のＹ座標、機器６と関連付けて記憶部１０２に記憶されている情報を表示する領域のＹ座標及び機器７と関連付けて記憶部１０２に記憶されている情報を表示する領域のＹ座標を決定する。決定された座標は、携帯端末装置のメモリなどに記憶される。
【００３３】
そして、表示部１０３は、ｄａｔａ３Ｊを表示する領域のＸ座標と機器５と関連付けて記憶部１０２に記憶されている情報を表示する領域のＹ座標、機器６と関連付けて記憶部１０２に記憶されている情報を表示する領域のＹ座標及び機器７と関連付けて記憶部１０２に記憶されている情報を表示する領域のＹ座標とを用いて、ｄａｔａ３５、ｄａｔａ３６，ｄａｔａ３７を表示する領域の座標を決定する。他のｄａｔａ４５、ｄａｔａ４６、．．．、ｄａｔａ６６、ｄａｔａ６７を表示する領域の座標の決定についても同様である。
【００３４】
図１（ｂ）は、図１（ａ）に機能ブロックを示す携帯端末装置１００のハードウェア構成図の一例である。携帯端末装置１００は、計算機のハードウェア構成１１０とすることができ、ＣＰＵ１１１、主記憶（メインメモリ）１１２、二次記憶（サブメモリ）１１３、ディスプレイ１１４、通信Ｉ／Ｆ１１５及び入力デバイス１１６がバスにより結合した構成とすることができる。通信Ｉ／Ｆ１１５は、受信部１０１に対応し、記憶部１０２は、主記憶１１２及び二次記憶１１３のいずれか一方または両方に対応し、表示部１０３は、ＣＰＵ１１１で動作するプログラム及びディスプレイ１１４に対応する。入力デバイス１１６は、スクロールバーに対する操作やフリック操作などを検出するためのデバイスである。なお、上述の図示しない送信部は通信Ｉ／Ｆ１１５に対応させることができる。
【００３５】
図４及び図５は、本実施形態に係る携帯端末装置の処理を説明するためのフローチャートの例である。
【００３６】
ステップＳ４０１の処理においては、受信部１０１は、複数の機器のいずれかから情報が受信されるまで待つ、情報が受信されれば、ステップＳ４０２の処理においては、受信部１０１は、情報が受信された機器の機器識別子を取得する。機器識別子としては、例えば受信したパケットのヘッダに格納されている機器のＭＡＣアドレスを取得して用いることができる。ステップＳ４０３の処理においては、記憶部１０２は、受信した情報を機器識別子と関連付けて記憶する。ステップＳ４０４の処理において、処理を終了するかどうか、例えば電源ＯＦＦボタンが押されたかどうかなど、を判断して、終了しないのであれば、ステップＳ４０１へ戻る。
【００３７】
ステップＳ５０１の処理においては、表示部１０３は、第１の情報を第１の領域に表示する。また、ステップＳ５０２の処理においては、表示部は、他の情報を第２の領域に表示する。ステップＳ５０３の処理においては、第２の領域に表示される他の情報の項目の値が、第１の領域に表示される第１の情報の対応する項目の値と特定の関係にあるかどうかを判断する。もし、特定の関係にあれば、ステップＳ５０４の処理に移行し、第２の領域に表示される他の情報の項目の値を異なった態様で表示する。
【００３８】
なお、第２の領域において第２の方向にスクロールがされ、新たな機器の情報の項目の値が表示されたり、第１の領域及び第２の領域において第１の方向にスクロールがされ、新たな項目の値が表示されたりする場合には、図５に示される処理を、新たに表示される項目の値について実行する。例えば、第２の領域において第２の方向にスクロールがされた場合には、新たに表示される機器の情報の項目について、Ｓ５０２−Ｓ５０４の処理を行う。また、第１の領域及び第２の領域において第１の方向にスクロールがされた場合には、Ｓ５０１−Ｓ５０４の処理を行う。
【００３９】
また、新たな項目の値が表示される場合、第１の情報の対応する項目の値と特定の関係にあるときには、スクロールを停止するようにしてもよい。このようにすることにより、特に、フリック操作などにより、携帯端末装置の利用者が操作しなくてもスクロールが継続して行われる場合、特定の関係を有する値が表示されるとスクロールが停止することにより、第１の情報の対応する項目の値と特定の関係にある値の確認を容易にすることができる。
【００４０】
本実施形態によれば、複数の機器から送信された情報を表示して確認する際に、基準となる機器を選択し、他の機器の情報のうち、その機器の情報と特定の関係のある情報を他と異なる態様により表示がされるので、情報の確認を容易に行うことができる。
【００４１】
（実施形態２）
本発明の実施形態２として、選択される機器を複数とすることができる携帯端末装置について説明する。
【００４２】
図６は、本実施形態に係る携帯端末装置の機能ブロック図を示す。携帯端末装置６００は、受信部１０１と、記憶部１０２と、表示部１０３と、選択部６０１とを有する。したがって、本実施形態に係る携帯端末装置は、実施形態１に係る携帯端末装置がさらに選択部を有する構成となっている。
【００４３】
選択部６０１は、複数の機器１０４−１、１０４−２、１０４−３…から選択を行う。選択部６０１は、複数の機器を選択可能である。例えば、図３に示す選択表示において、領域３０１に表示される機器のアイコンから複数のアイコンをクリックなどしてから「機器選択」ボタン３０４を押下することにより、複数の機器が選択される。
【００４４】
また、本実施形態においては、表示部１０３は、選択部６０１により選択された複数の機器と関連付けて記憶部１０２に記憶されている情報を、第１の領域に第１の方向とは異なる方向に隣接して表示する。
【００４５】
図７は、本実施形態における表示部１０３の表示の例である。この例では、機器Ｊと機器Ｋとが選択されており、機器Ｊと機器Ｋとのそれぞれと関連付けて記憶部１０２に記憶されている情報が第１の領域７０１に表示されている。また、機器Ｋと関連付けて記憶部１０２に記憶されている情報は、機器Ｊと関連付けて記憶部１０２に記憶されている情報の右側、すなわち、第１の方向と垂直の方向に隣接して、表示されている。
【００４６】
このような機器の選択及び表示を行うことにより、第２の領域７０２に表示される項目の値が他の値と異なる態様で表示するための関係をより複雑なものとすることができる。例えば、特定の関係として、機器Ｊの項目の値と機器Ｋのその項目の値との中間の値であることを、特定の関係として定義することができる。これにより、ｄａｔａ３５が、ｄａｔａ３Ｊとｄａｔａ３Ｋとの中間の値である場合に、ｄａｔａ３５の表示の態様をｄａｔａ３６、ｄａｔａ３７と異なる態様で表示することができる。
【００４７】
（実施形態３）
本発明の実施形態３として、第１の領域に表示された値を用いて、機器を設定することができる携帯端末装置について説明する。
【００４８】
図８は、本実施形態に係る携帯端末装置の機能ブロック図を示す。携帯端末装置８００は、送受信部１０１ａと、記憶部１０２と、表示部１０３と、設定部８０１とを有する。また、実施形態２のように、携帯端末装置８００は、さらに選択部を有していてもよい。送受信部１０１ａは、受信部１０１の機能と上述の送信部の機能とをあわせて有する部である。したがって、本実施形態に係る携帯端末装置は、実施形態１または２に係る携帯端末装置がさらに設定部を有している構成となっている。
【００４９】
本実施形態においては、送受信部１０１ａが複数の機器１０４−１、１０４−２、１０４−３…から受信する情報は、複数の機器１０４−１、１０４−２、１０４−３…それぞれの設定情報を含む。また、設定部８０１は、第１の領域に表示された設定情報を用いて、他の機器を設定する。例えば、機器と関連付けて記憶部１０２に記憶されている情報の項目の値が表示されている領域をダブルクリックなどすることにより、その機器を選択された機器と同じ設定とする。
【００５０】
設定を行うには、設定部８０１は、設定を行うための情報を、送受信部１０１ａを用いて設定の対象となる機器に送信する。
【００５１】
この場合、設定を行いたい機器をダブルクリックなどすることにより指定することにより、指定された機器の設定を、選択された機器の設定と同じにすることができる。例えば、無線ＬＡＮ接続のためのＳＳＩＤ及び認証キーが項目である場合、設定を行いたい機器についての値が表示されている領域をダブルクリックなどして設定を行いたい機器を指定することにより、選択された機器に設定されているＳＳＩＤ及び認証キーを、指定された機器に設定することができる。
【００５２】
また、設定する項目を予め指定しておき、設定を行いたい機器を選択することにより、指定された項目の値を、選択された機器の項目の値に設定を行うことができる。例えば、ＳＳＩＤの項目を予め指定しておき、設定を行いたい機器についての値が表示されている領域をダブルクリックなどして設定を行いたい機器を指定することにより、選択された機器に設定されているＳＳＩＤを、指定された機器に設定し、その他の項目（例えば認証キー）については設定しないようにすることもできる。
【００５３】
あるいは、項目を指定することにより選択された機器以外の機器のその項目の値を、選択された機器に設定された値とすることができる。例えば、ＳＳＩＤという項目をダブルクリックなどにより指定することにより、選択された機器のＳＳＩＤを他の機器に設定することもできる。
【００５４】
また、複数の機器が選択されている場合には、選択されている機器から基準となる機器を選択しておき、機器と関連付けて記憶部１０２に記憶されている情報の項目の値が第２の領域に表示されている領域をダブルクリックなどすることにより、その機器を選択された機器と同じ設定とする。
【００５５】
例えば、図２において、ｄａｔａ４Ｊが機器Ｊに設定されたサブネットマスクであるとする。このとき、設定部８０１は、ｄａｔａ４Ｊを用いて、他の機器のサブネットマスクを設定することができる。したがって、本実施形態においては、ｄａｔａ４Ｊと異なるサブネットマスクがｄａｔａ４Ｊが示すサブネットマスクと異なる形態で表示される。これにより、異なるサブネットマスクが設定された機器を見つけ、基準となる機器Ｊと同じサブネットマスクに設定を行うことができる。
【００５６】
以上のように本実施形態においては、基準となる機器と異なる設定の機器を見つけ、基準となる機器と同じ設定を行うことができる。
【００５７】
（実施形態４）
本発明の実施形態４として、第１の領域および第２の領域に表示する項目を選択することができる携帯端末装置について説明する。
【００５８】
図９は、本実施形態に係る携帯端末装置の機能ブロック図を示す。携帯端末装置９００は、受信部１０１と、記憶部１０２と、表示部１０３と、項目設定部９０１とを有する。また、実施形態２のように、携帯端末装置９００は、さらに選択部を有していてもよい。また、実施形態３のように、携帯端末装置９００は、さらに設定部を有していてもよく、送受信部を有していてもよいしたがって、本実施形態に係る携帯端末装置は、実施形態１から３のいずれかに係る携帯端末装置がさらに項目選択部を有している構成となっている。
【００５９】
項目選択部９０１は、第１の領域及び第２の領域に値を表示する項目を選択する。例えば、携帯端末装置９００が有するディスプレイに項目の一覧を表示し、項目ごとに第１の領域及び第２の領域に値を表示する項目を選択する表示を行い、携帯端末装置９００の利用者に選択を行わせる。選択の結果は記憶部１０２に記憶され、表示部１０３が表示を行うときに参照される。
【００６０】
また、第１の領域及び第２の領域が表示された状態で、特定の項目をドラッグなどにより指定することにより、表示しない項目を選択してもよい。例えば、項目としてのＳＳＩＤの値が第１領域及び第２領域に表示されている場合、ＳＳＩＤの値が表示されている領域からディスプレイ上の所定の領域に向けてドラッグを行うことにより、ＳＳＩＤの値が表示されないように選択することができるようにしてもよい。この場合、所定の領域には、表示されないように選択された項目がアイコンなどにより表示され、そのアイコンなどを第１の領域または第２の領域にドラッグすることにより、その項目の値が表示されるように選択が行われてもよい。
【００６１】
以上のように本実施形態により、利用者が表示を望む項目を選択することが可能となる。
【００６２】
（実施形態５）
本発明の実施形態５として、第２の領域に表示する機器の順序を変更することができる携帯端末装置について説明する。
【００６３】
図１０は、本実施形態に係る携帯端末装置の機能ブロック図を示す。携帯端末装置１０００は、受信部１０１と、記憶部１０２と、表示部１０３と、順序変更部１００１とを有する。また、実施形態２のように、携帯端末装置１０００は、さらに選択部を有していてもよい。また、実施形態３のように、携帯端末装置１０００は、さらに設定部、送受信部を有していてもよい。また、実施形態４のように、携帯端末装置１０００は、さらに項目選択部を有していてもよい。したがって、本実施形態に係る携帯端末装置は、実施形態１から４のいずれかに係る携帯端末装置がさらに項目選択部を有している構成となっている。
【００６４】
順序変更部１００１は、第２の領域に値を表示する機器の順序を変更する。例えば、携帯端末装置１０００が有するディスプレイに機器のアイコンなどの一覧を表示し、機器のアイコンなどをドラッグして表示位置を変更し、機器の表示の順序を変更する。変更された機器の順序は、記憶部１０２に記憶され、表示部１０３が表示を行うときに参照される。
【００６５】
また、図２のような表示がされている場合に、機器の値が表示されている領域をドラッグし、機器の表示の順序を変更してもよい。例えば、「機器７」の列を「機器５」の列と「機器６」の列との間にドラッグすることにより、「機器６」と「機器７」の表示の順序を入れ替えることができる。
【００６６】
本実施形態によれば、機器の表示順序が変更できるので、利用者の望む順序で表示を行うことができる。
【符号の説明】
【００６７】
１００  携帯端末装置、１０１  受信部、１０２  記憶部、１０３  表示部、１０４−１  １０４−２  １０４−３  機器
【図１】
2014137673.tif 000003
【図２】
2014137673.tif 000004
【図３】
2014137673.tif 000005
【図４】
2014137673.tif 000006
【図５】
2014137673.tif 000007
【図６】
2014137673.tif 000008
【図７】
2014137673.tif 000009
【図８】
2014137673.tif 000010
【図９】
2014137673.tif 000011
【図１０】
2014137673.tif 000012